(57)【要約】【課題】収容庫の温度設定が切り換わった場合に、該収容庫に収容された商品と任意に関連付けられた商品サンプルの冷温表示を自動的に所望のものに変更することができる自動販売機を提供すること。【解決手段】収容庫２ａ，２ｂ，２ｃに収容された商品と、商品サンプルＳとが任意に関連付けられた自動販売機において、移動自在に配設され、複数の冷温情報があらわされた帯状の表示体５０と、この表示体５０の移動を制御する制御手段（２０）とを備え、収容庫２ａ，２ｂ，２ｃの温度設定が切り換わった場合に、制御手段は、この収容庫２ａ，２ｂ，２ｃに収容された商品に対応する商品サンプルＳを特定し、この特定した商品サンプルＳの冷温情報を切り換えるよう表示体５０を移動させるものである。【選択図】      図５
2004234362.tif 000002
【特許請求の範囲】
【請求項１】
収容庫に収容された商品と、商品サンプルとが任意に関連付けられた自動販売機において、
移動自在に配設され、複数の冷温情報があらわされた帯状の表示体と、
前記表示体の移動を制御する制御手段と
を備え、
前記収容庫の温度設定が切り換わった場合に、前記制御手段は、該収容庫に収容された商品に対応する商品サンプルを特定し、この特定した商品サンプルの冷温情報を切り換えるよう前記表示体を移動させることを特徴とする自動販売機。
【請求項２】
前記制御手段は、前記商品サンプルを載置する商品サンプルステージの数に関する情報と、
各商品サンプルステージに載置された商品サンプルの数に関する情報と、
各商品サンプルと任意に関連付けられた商品に関する情報と、
前記商品が収容された収容庫に関する情報と
を有しており、
前記収容庫の温度設定が切り換わった場合に、前記各情報に基づき、該収容庫に収容された商品に対応する商品サンプルを特定することを特徴とする請求項１に記載の自動販売機。
【請求項３】
前記表示体にあらわされた複数の冷温情報からなるパターンと、前記特定した商品サンプルの冷温情報を切り換えることを前提にして作成した冷温表示パターンとが一致しない場合には、異常が発生したものと判断してその旨を報知する報知手段を備えたことを特徴とする請求項１または請求項２に記載の自動販売機。
【請求項４】
前記制御手段は、同時に制御を行う必要がある表示体が複数ある場合に、それぞれの表示体の移動開始時点にタイムラグを設けて制御を行うことを特徴とする請求項１〜３のいずれか一つに記載の自動販売機。
【請求項５】
前記収容庫に収容された商品と、商品選択ボタンとが任意に関連付けられている場合に、前記収容庫の温度設定に応じて、前記商品選択ボタンを構成する販売可能ランプ、あるいは売切ランプを点灯させる点灯表示手段を備えたことを特徴とする請求項１〜４のいずれか一つに記載の自動販売機。
【発明の詳細な説明】
【０００１】
【発明の属する技術分野】
本発明は、自動販売機に関し、より詳細には、収容庫に収容された商品と、商品サンプルとが任意に関連付けられた自動販売機に関する。
【０００２】
【従来の技術】
金銭が投入されることにより自動的に所望の商品、例えば飲料やたばこ等を販売する自動販売機は、多種多様なものが開発されており、商品購入の手軽さや管理の容易さ、僅かな設置面積、販売に要する人件費の削減等の理由により、各地に数多く普及している。
【０００３】
図９〜図１１は、それぞれ一般的な自動販売機の構成を示したものである。この自動販売機は、缶入り飲料やペットボトル入り飲料等の商品を販売するためのもので、本体キャビネット１を備えている。
【０００４】
本体キャビネット１は、前面が開口した直方状の断熱筐体として形成されたものである。この本体キャビネット１の内部には、複数の独立した収容庫２ａ，２ｂ，２ｃが左右に並設してある。これら収容庫２ａ，２ｂ，２ｃは、飲料缶やペットボトルを所望の温度に維持した状態で収容するためのものである。各収容庫２ａ，２ｂ，２ｃには、それぞれの上方部にコラム状のラック３ａ，３ｂ，３ｃが配設してある一方、シュータ４によって区画される下方部に熱交換器（図示せず）が配設してあり、該熱交換器の駆動により、ラック３ａ，３ｂ，３ｃに収容した飲料缶やペットボトルを所望の冷却温度、あるいは加熱温度に維持することが可能である。
【０００５】
上記自動販売機には、本体キャビネット１の一側縁部に扉体５を設けてある。扉体５は、本体キャビネット１の前面開口を開閉するためのもので、内扉５ａ、中扉５ｂおよび外扉５ｃを備えて構成してある。内扉５ａは、本体キャビネット１に設けた収容庫の前面を覆うに十分な大きさを有したものである。図示の例では、内扉５ａを上下に分割し、それぞれを個別に開閉できるようにしてある。
【０００６】
中扉５ｂは、内扉５ａの前面側に配設したものである。この中扉５ｂには、その前面側上部に販売商品のサンプル（以下、商品サンプルともいう）Ｓを左右に並べて一列に載置した商品サンプルステージ６が上下方向に複数段（図示の例では３段）に並べて配設してある。また、中扉５ｂには、その前面側下部に電照板７が配設してある。
【０００７】
外扉５ｃは、本体キャビネット１の前面開口を覆うに十分な大きさを有したものである。この外扉５ｃには、その前面側にディスプレイウィンドウ８、商品選択ボタン９、硬貨投入口１０、紙幣挿入口１１、一体表示器１２、硬貨返却口１３、商品取出口１４が設けてある。一方、外扉５ｃの後面側には、硬貨処理機１５、硬貨回収箱１６、紙幣処理機１７が設けてある。
【０００８】
ディスプレイウィンドウ８は、中扉５ｂに配置した商品サンプルＳ（商品サンプルステージ６）および電照板７を利用者に視認させるための窓である。商品選択ボタン９は、利用者が購入商品を選択するための押ボタンスイッチであり、ディスプレイウィンドウ８を通じて視認される商品サンプルＳ毎に用意してある。硬貨投入口１０は、利用者が硬貨を投入するための開口である。この硬貨投入口１０を通じて投入された硬貨は、硬貨処理機１５においてその金種が識別され、その後、硬貨回収箱１６に収容されることになる。紙幣挿入口１１は、利用者が紙幣を挿入するための開口である。この紙幣挿入口１１を通じて挿入された紙幣は、紙幣処理機１７においてその金種が識別されることになる。また上記紙幣挿入口１１は、紙幣処理機１７において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機１５において識別できなかった硬貨、あるいは釣銭となる硬貨を利用者に返却するための開口である。商品取出口１４は、ラック３ａ，３ｂ，３ｃから払い出された商品を利用者が受け取るための開口である。
【０００９】
上記商品サンプルステージ６には、その前面に開口する表示窓６ａが各商品サンプルＳに対応して形成してある。この商品サンプルステージ６の内部には、図示はしないが特許文献１に掲載されているように、帯状の表示体が、左右一対となる巻取ドラムに巻きつけられて配設されているものが知られている。この表示体は、例えば透光性のフィルムからなり、その長手方向に「あったかーい」、「つめたーい」の文字、あるいは赤色（暖色）、青色（寒色）に色分けされた冷温に関する情報（以下、冷温情報ともいう）が複数あらわされているとともに、該冷温情報が表示窓６ａを通じて臨むように配置されている。一対の巻取ドラムのいずれか一方には、該巻取ドラムを回転させるための駆動源となるモータが連結してある。
【００１０】
このような自動販売機においては、それぞれの収容庫２ａ，２ｂ，２ｃの温度状態（加温状態／冷却状態）に応じて、モータを駆動させて表示体を所定量だけ移動させることにより、各収容庫２ａ，２ｂ，２ｃ内の商品に対応する商品サンプルＳの冷温表示を自動的に変更することができる。
【００１１】
【特許文献１】
特開平６−１０３４４８号公報
【００１２】
【発明が解決しようとする課題】
ところで、近年の自動販売機には、商品選択ボタンと、商品を収容したラックとを任意に関連付けることができるものが知られている。つまり、商品選択ボタンと、収容された商品とが任意に関連付けられている。また、上述のように、商品選択ボタンは、一般に商品サンプル毎に用意してある。これにより、収容された商品と商品サンプルは、任意に関連付けることができる。
【００１３】
そのような自動販売機においては、いずれかの収容庫の温度設定が切り換わった場合、該収容庫に収容された商品に対応する商品サンプルの冷温表示を自動的に変更する必要があるが、そのような技術は未だ開示されていない。
【００１４】
本発明は、上記実情に鑑みて、収容庫の温度設定が切り換わった場合に、該収容庫に収容された商品と任意に関連付けられた商品サンプルの冷温表示を自動的に所望のものに変更することができる自動販売機を提供することを目的とする。
【００１５】
【課題を解決するための手段】
上記目的を達成するために、本発明の請求項１に係る自動販売機は、収容庫に収容された商品と、商品サンプルとが任意に関連付けられた自動販売機において、移動自在に配設され、複数の冷温情報があらわされた帯状の表示体と、前記表示体の移動を制御する制御手段とを備え、前記収容庫の温度設定が切り換わった場合に、前記制御手段は、該収容庫に収容された商品に対応する商品サンプルを特定し、この特定した商品サンプルの冷温情報を切り換えるよう前記表示体を移動させることを特徴とする。
【００１６】
また、本発明の請求項２に係る自動販売機は、上記の請求項１において、前記制御手段は、前記商品サンプルを載置する商品サンプルステージの数に関する情報と、各商品サンプルステージに載置された商品サンプルの数に関する情報と、各商品サンプルと任意に関連付けられた商品に関する情報と、前記商品が収容された収容庫に関する情報とを有しており、前記収容庫の温度設定が切り換わった場合に、前記各情報に基づき、該収容庫に収容された商品に対応する商品サンプルを特定することを特徴とする。
【００１７】
また、本発明の請求項３に係る自動販売機は、上記の請求項１または請求項２において、前記表示体にあらわされた複数の冷温情報からなるパターンと、前記特定した商品サンプルの冷温情報を切り換えることを前提にして作成した冷温表示パターンとが一致しない場合には、異常が発生したものと判断してその旨を報知する報知手段を備えたことを特徴とする。
【００１８】
また、本発明の請求項４に係る自動販売機は、上記の請求項１〜３のいずれか一つにおいて、前記制御手段は、同時に制御を行う必要がある表示体が複数ある場合に、それぞれの表示体の移動開始時点にタイムラグを設けて制御を行うことを特徴とする。
【００１９】
また、本発明の請求項５に係る自動販売機は、上記の請求項１〜４のいずれか一つにおいて、前記収容庫に収容された商品と、商品選択ボタンとが任意に関連付けられている場合に、前記収容庫の温度設定に応じて、前記商品選択ボタンを構成する販売可能ランプ、あるいは売切ランプを点灯させる点灯表示手段を備えたことを特徴とする。
【００２０】
【発明の実施の形態】
以下に添付図面を参照して、本発明に係る自動販売機の好適な実施の形態について詳細に説明する。
【００２１】
図１は、本発明の実施の形態に係る自動販売機の要部の構成を示すブロック図である。尚、以下において、図９〜１１における自動販売機と同一の構成を有するものには、同一の符号を付してその説明を省略する。この図１において、自動販売機は、主制御ユニット２０と、基本動作制御ユニット３０と、端末制御ユニット４０とを備えて構成してある。
【００２２】
主制御ユニット（制御手段）２０は、詳細は後述するが、例えばＲＯＭやＲＡＭ等の主記憶部２２に格納されたプログラムおよびデータに基づいて自動販売機の動作を統括的に制御するものである。
【００２３】
基本動作制御ユニット３０は、商品の販売に関わる制御を行うもので、金銭処理部３１と、ボタン管理部３２と、商品収容管理部３３とを有してある。金銭処理部３１は、硬貨投入口１０および紙幣挿入口１１において投入された金銭の合計額を算出する処理を行うものである。ボタン管理部３２は、商品選択ボタン９を操作可能状態にし、この商品選択ボタン９が利用者により押された場合にその旨を出力するものである。商品収容管理部３３は、本体キャビネット１内の収容庫２ａ，２ｂ，２ｃに収容された商品を管理するものである。より詳細に説明すると、基本動作制御ユニット３０は、金銭処理部３１を通じて算出された投入金銭の合計額が商品販売価格に達した場合に、ボタン管理部３２を通じて商品選択ボタン９を操作可能状態にする。その後、利用者によって商品選択ボタン９が押された場合に、商品収容管理部３３を通じて該商品選択ボタン９に対応する商品を払い出す処理を主機能とするものである。
【００２４】
端末制御ユニット４０は、各商品サンプルステージ６毎に装着してあり、図２に示すように、端末制御部４１と、端末記憶部４２と、モータ駆動制御部４３とを備えて構成してある。端末制御部４１は、端末記憶部４２に格納されたプログラムおよびデータに基づいて端末制御ユニット４０の動作を統括的に制御するものである。また、端末記憶部４２には、該端末ユニット４０が装着された商品サンプルステージ６の部位と、該商品サンプルステージ６に載置された商品サンプルの数に関する情報を格納してある。モータ駆動制御部４３は、モータＭの駆動を制御するものである。
【００２５】
この端末制御ユニット４０は、入／出力インターフェース４４を通じて主制御ユニット２０からの指令信号に応じて、商品サンプルステージ６の内部に配設された表示体５０を所定量だけ移動させるものである。より詳細に説明すると次のようになる。図３に示すように、商品サンプルステージ６の内部には、駆動プーリ６１と、複数（図示の例では３つ）の従動プーリ６２，６３，６４とが配設され、これら駆動プーリ６１および従動プーリ６２，６３，６４には、図４に示すような無端状の表示体５０が架け渡してある。この表示体５０は、例えば透光性のフィルムからなり、その長手方向に「あったかーい」、「つめたーい」の文字、および赤色（暖色）、青色（寒色）に色分けされた冷温情報が所定のパターンにしたがってあらわされている。具体的には、境界部５０ａを境にして「つめたーい」の表示と、「あったかーい」の表示とがそれぞれ連続してあらわされている。また、この表示体５０には、その下部に複数の丸孔部５１と、一つの長孔部５２とが形成してあり、丸孔部５１の一部は、駆動プーリ６１に設けられた突起部６１ａと係合してある。そして、端末制御ユニット４０がモータ駆動制御部４３を通じて駆動プーリ６１と連結されたモータＭを駆動させることにより、該駆動プーリ６１が回転し、この駆動プーリ６１に係合する表示体５０が例えば図中の矢印方向に移動することになる。ここで、表示体５０の冷温情報は、商品サンプルステージ６の表示窓６ａを通じて表示されるよう予め位置が調整してある。また、表示体５０と駆動プーリ６１との関係は、駆動プーリ６１が一回転すると、表示体５０が一表示分だけ移動するように予め調整してある。ここに、表示体５０の一表示分とは、「つめたーい」または「あったかーい」の文字の一つ分のことをいう。そのため、例えば一の表示窓６ａから「つめたーい」の文字が表示されている場合に、駆動プーリ６１をちょうど一回転させることにより、この「つめたーい」の文字は、該一の表示窓６ａに隣接する表示窓６ａから表示されることになる。
【００２６】
図５は、上記主制御ユニットの構成を示したブロック図である。この図５において、主制御ユニット２０は、制御部２１と、主記憶部２２と、収容庫管理部２３と、パターン作成部２４と、異常判断部２５と、報知部２６とを備えて構成してある。
【００２７】
制御部２１は、上述のように主記憶部２２に格納されたプログラムおよびデータに基づいて主制御ユニット２０の動作を統括的に制御するものである。
【００２８】
主記憶部２２には、各種情報が格納してある。ここに、各種情報としては、商品サンプルステージ６の数に関する情報と、商品サンプルステージ６毎に載置された商品サンプルＳの数に関する情報と、各商品サンプルＳと任意に関連付けられたラック３ａ，３ｂ，３ｃに関する情報と、各ラック３ａ，３ｂ，３ｃと各収容庫２ａ，３ｂ，２ｃとの配設関係に関する情報と、各収容庫２ａ，２ｂ，２ｃの温度設定に関する情報等である。
【００２９】
より詳細に説明すると次のようになる。主記憶部２２には、図６（ａ）〜図６（ｃ）に示すように、各商品サンプルステージ６の段毎に、商品サンプルＳに割り付けた番号と、ラック３ａ，３ｂ，３ｃに割り付けた番号と、収容庫２ａ，２ｂ，２ｃに割り付けた番号と、収容庫２ａ，２ｂ，２ｃの温度設定とを関連付けたデータを格納してある。ここで、番号の割り付けについては、図９〜図１１に示すように、上段の商品サンプルステージ６には商品サンプルＳが７個あるから左から順に番号を付して１〜７番とし、中段の商品サンプルステージ６には商品サンプルＳが８個あるから左から順に番号を付して８〜１５番とし、下段の商品サンプルステージ６には商品サンプルＳが９個あるから左から順に番号を付して１６〜２４番としてある。また、ラック３ａ，３ｂ，３ｃについては、収容庫２ａに配設されたラック３ａが１０個あるから１〜１０番とし、収容庫２ｂに配設されたラック３ｂが５個あるから１１〜１５番とし、収容庫２ｃに配設されたラック３ｃが１０個あるから１６〜２５番としている。尚、商品サンプルＳは全部で２４個であるので、ラック３ｃの２５番は未使用状態になっている。更に、収容庫２ａ，２ｂ，２ｃについては、全部で３つあるから収容庫２ａを１番とし、収容庫２ｂを２番とし、収容庫２ｃを３番としてある。尚、ここでは収容庫２ａ，２ｂ，２ｃの温度設定は、それぞれ「冷却」、「加温」、「加温」としてある。
【００３０】
収容庫管理部２３は、各収容庫２ａ，２ｂ，２ｃの温度設定を管理するものである。パターン作成部２４は、収容庫２ａ，２ｂ，２ｃの温度設定が切り換わった場合に、主記憶部２２に格納されたデータに基づき、商品サンプルステージ６毎の冷温表示パターンを作成する。
【００３１】
異常判断部２５は、表示体５０にあらわされた冷温情報のパターンでは、所望の冷温情報を表示することができない場合に異常が発生したと判断するものである。より詳細には、パターン作成部２４で作成した冷温表示パターンにおいて、両隣の各商品サンプルＳに対応する商品を収容した収容庫の設定温度と異なる商品サンプルＳがある場合、すなわち両隣の商品サンプルＳのいずれとも異なる冷温情報を表示する必要がある商品サンプルＳがある場合に、異常が発生したと判断するものである。従って、各商品サンプルステージ６において右端および左端にある商品サンプルＳについては異常発生の判断の対象とはならない。報知部２６は、異常判断部２５において異常発生と判断した場合に、例えばブザー音等により異常発生を報知するものである。これら異常判断部２５および報知部２６により報知手段が構成されている。
【００３２】
上記のように構成した本実施の形態に係る自動販売機は、次のようにして動作を行う。図７は、主制御ユニットの制御部が実施する処理内容を示したフローチャートである。尚、以下においては、説明の便宜上、収容庫２ａ，２ｂ，２ｃは、図６（ａ）〜図６（ｃ）に示したように、収容庫２ａ（１番）が「冷却」、収容庫２ｂ（２番）が「加温」、収容庫２ｃ（３番）が「加温」に予め温度設定されており、例えばルートマン等の操作者の操作によって収容庫２ｂ（２番）の温度設定が「加温」から「冷却」に切り換わった場合に限って説明する。
【００３３】
主制御ユニット２０の制御部２１は、収容庫管理部２３を通じて収容庫２ｂの温度設定が「加温」から「冷却」に切り換わったか否かを確認する（ステップＳ１０１）。そして、収容庫２ｂの温度設定が切り換わったことを確認した場合には、制御部２１は、パターン作成部２７を通じて図８（ａ）〜図８（ｃ）に示すような冷温表示パターンを作成する（ステップＳ１０２）。より詳細に説明すると、パターン作成部２４は、主記憶部２２に予め格納してあるデータ（図６（ａ）〜図６（ｃ）参照）に基づき、収容庫２ｂ（２番）に配設されたラック３ｂの番号（１１〜１５番）およびこれと任意に関連付けられた商品サンプルＳの番号（１１番、１４番、２２〜２４番）を特定するとともに、これらの商品サンプルＳ（１１番、１４番、２２〜２４番）を載置した商品サンプルステージ６の部位（中段、下段）を特定する。そして、パターン作成部２４は、収容庫２ｂ（２番）の温度設定を「冷却」に切り換えた冷温表示パターンを作成する。
【００３４】
その後、制御部２１は、異常検知部２５を通じて異常が発生したか否かを確認する（ステップＳ１０３）。より詳細には、異常検知部２５が上記冷温表示パターンにおいて、両隣の商品サンプルＳのいずれとも異なる冷温情報を表示する必要がある商品サンプルＳがあるか否かを判断する。その結果、図８（ｃ）に示すように、下段の商品サンプルステージ６においては、各商品サンプルＳに関連付けられた商品を収容した収容庫の温度設定が、両隣の商品サンプルＳのうち、いずれかの商品サンプルＳに関連付けられた商品を収容した収容庫の設定温度と同じであるので、異常検知部２５が異常発生と判断することはない。従って、下段の商品サンプルステージ６については、制御部２１が通信処理部２７を通じて端末制御ユニット４０に指令信号を出力する（ステップＳ１０４）。
【００３５】
一方、中段の商品サンプルステージ６においては、１４番の商品サンプルＳに関連付けられた商品を収容した収容庫の設定温度が、両隣である１３番および１５番の商品サンプルＳに関連付けられた商品を収容した収容庫の設定温度と異なるので、異常検知部２５が異常発生と判断することになる。従って、制御部２１は、報知部２６を通じて異常が発生した旨を報知する（ステップＳ１０５）。これにより、今回の処理を終了する。
【００３６】
その後、下段の商品サンプルステージ６に装着された端末制御ユニット４０が、指令信号に基づいて表示体５０を所定量だけ移動させることにより、該下段の商品サンプルステージ６では、上記冷温表示パターンにしたがった冷温表示が表示窓６ａを通じて表示されることになる。
【００３７】
また、中段の商品サンプルステージ６では、報知部２６による異常発生の報知により、ルートマン等の操作者が商品サンプルＳとラック３ｂとの関連付けを調整することになる。具体的には、１４番の商品サンプルＳと１７番のラック３ｂとの関連付けを行うとともに、１５番の商品サンプルＳと１１番のラック３ｂとの関連付けを行う。これにより、異常検知部２５により異常発生が検知されることを回避することができる。
【００３８】
以上説明したように、本発明の実施の形態に係る自動販売機によれば、収容庫２ａ，２ｂ，２ｃの温度設定が切り換わった場合に、主制御ユニット２０が、格納してある各種情報に基づいて冷温表示パターンを作成し、該冷温表示パターンに異常が検知されないときに端末制御ユニット４０に指令信号を出力して表示体５０を移動させるので、商品サンプルＳとラック３ａ，３ｂ，３ｃとが任意に関連付けられていても、温度設定が切り換わった収容庫２ａ，２ｂ，２ｃに収容された商品に対応する商品サンプルＳの冷温表示を自動的に所望のものに変更することができる。
【００３９】
また、上記冷温表示パターンに異常が検知された場合には、主制御ユニット２０が異常発生の旨の報知を行うので、例えばルートマン等の操作者がかかる報知に基づき該当する商品サンプルステージ６の商品サンプルＳとラック３ａ，３ｂ，３ｃとの関連付けをチェックすることができ、メンテナンスが容易になる。
【００４０】
以上本発明の好ましい実施の形態について説明したが、本発明はこれに限定されるものではない。上述の実施の形態では、主制御ユニットが一の商品サンプルステージにおける表示体しか移動させることはないが、例えば表示体を同時に複数移動させる必要がある場合には、主制御ユニットは、それぞれの表示体の移動開始時点にタイムラグを設けてこれらの表示体を移動させてもよい。これにより、突入電流が過大になることを防止することができる。
【００４１】
また、上述のように、ラックと商品サンプルとが任意に関連付けられているのは、該商品サンプルに対応して用意してある商品選択ボタンがラックと任意に関連付けられているからである。そのため、主制御ユニットは、作成した冷温表示パターンに基づき、各ラックに関連付けられた各商品選択ボタンを構成する販売可能ランプおよび売切ランプのいずれかを点灯させる点灯表示手段を構成してもよい。より詳細に説明すると次のようになる。最初に販売可能ランプの点灯が収容庫の温度設定が「加温」であることを示し、売切ランプの点灯が収容庫の温度設定が「冷却」であることを示すものと規定されているとする。そして、主制御ユニットは、作成した冷温表示パターンに基づき、収容庫の温度設定に応じて各ラックに関連付けられた各商品選択ボタンの販売可能ランプ、あるいは売切ランプを点灯させる。これにより、主制御ユニットで作成された冷温表示パターンをランプの点灯を介して視認させることができる。
【００４２】
【発明の効果】
以上説明したように、請求項１に記載の発明によれば、収容庫の温度設定が切り換わった場合に、制御手段が、収容庫に収容された商品に対応する商品サンプルを特定し、この特定した商品サンプルの冷温情報を切り換えるよう表示体を移動させるので、収容庫に収容された商品と商品サンプルとが任意に関連付けられていても、温度設定が切り換わった収容庫に収容された商品に対応する商品サンプルの冷温表示を自動的に所望のものに変更することができる。
【００４３】
また、請求項２に記載の発明によれば、収容庫の温度設定が切り換わった場合に、制御手段が、商品サンプルを載置する商品サンプルステージの数に関する情報と、各商品サンプルステージに載置された商品サンプルの数に関する情報と、各商品サンプルと任意に関連付けられた商品に関する情報と、商品が収容された収容庫に関する情報とに基づき、該収容庫に収容された商品に対応する商品サンプルを特定し、この特定した商品サンプルの冷温情報を切り換えるよう表示体を移動させるので、収容庫に収容された商品と商品サンプルとが任意に関連付けられていても、温度設定が切り換わった収容庫に収容された商品に対応する商品サンプルの冷温表示を自動的に所望のものに変更することができる。
【００４４】
また、請求項３に記載の発明によれば、報知手段が、表示体にあらわされた複数の冷温情報からなるパターンと、特定した商品サンプルの冷温情報を切り換えることを前提にして作成した冷温表示パターンとが一致しない場合には、異常が発生したものと判断してその旨を報知するので、例えばルートマン等の操作者がかかる報知に基づいて商品サンプルと収容庫に収容された商品との関連付けをチェックすることができ、メンテナンスが容易になる。
【００４５】
また、請求項４に記載の発明によれば、制御手段は、同時に制御を行う必要がある表示体が複数ある場合に、それぞれの表示体の移動開始時点にタイムラグを設けて制御を行うので、突入電流が過大になることを防止することができる。
【００４６】
また、請求項５に記載の発明によれば、収容庫に収容された商品と、商品選択ボタンとが任意に関連付けられている場合に、点灯表示手段が収容庫の温度設定に応じて、商品選択ボタンを構成する販売可能ランプ、あるいは売切ランプを点灯させるので、例えばルートマン等の操作者が該ランプの点灯を介して冷温情報を認識することができる。
【図面の簡単な説明】
【図１】本発明の実施の形態に係る自動販売機の要部の構成を示すブロック図である。
【図２】図１における自動販売機を構成する端末制御ユニットの構成を示すブロック図である。
【図３】商品サンプルステージの平面図である。
【図４】表示体の斜視図である。
【図５】図１における自動販売機を構成する主制御ユニットの構成を示すブロック図である。
【図６】主制御ユニットの主記憶部に格納されている各種情報について示す図表である。
【図７】主制御ユニットの制御部が実施する処理内容を示したフローチャートである。
【図８】冷温表示パターンを示した図表である。
【図９】一般的な自動販売機を示した正面図である。
【図１０】図９に示した自動販売機において外扉を開成した状態を示す斜視図である。
【図１１】図９に示した自動販売機において扉体を開成した状態を示す斜視図である。
【符号の説明】
２０      主制御ユニット
２１      制御部
２２      主記憶部
２３      収容庫管理部
２４      パターン作成部
２５      異常判断部
２６      報知部
２７      通信処理部
Ｓ        商品サンプル
【図１】
2004234362.tif 000003
【図２】
2004234362.tif 000004
【図３】
2004234362.tif 000005
【図４】
2004234362.tif 000006
【図５】
2004234362.tif 000007
【図６】
2004234362.tif 000008
【図７】
2004234362.tif 000009
【図８】
2004234362.tif 000010
【図９】
2004234362.tif 000011
【図１０】
2004234362.tif 000012
【図１１】
2004234362.tif 000013